(57)【特許請求の範囲】
【請求項１】
２つの接触子間を連結する連結部を有するコンタクトと、前記コンタクトを保持し、かつ、前記連結部を係止する係止部を有するハウジングとから構成され、
前記連結部は、前記コンタクトの前記ハウジングへの挿入方向の後端側に平板状に形成され、前記係止部は、前記コンタクトを前記ハウジングへ挿入する際の挿入口に形成され、
前記コンタクトの両側に各２箇所の被ガイド部を形成し、前記ハウジングに貫通形成されたコンタクト穴内における対向する両面に、前記コンタクトの前記各被ガイド部の挿入を案内するガイド溝を形成し、
前記被ガイド部は前記挿入方向の先端側の第２被ガイド部と前記挿入方向の後端側の第１被ガイド部とから構成されることを特徴とするシャントコネクタ。
【請求項２】
前記コンタクトを前記ハウジングへ挿入する際、前記連結部と前記係止部とが互いに当接する部分のそれぞれに面取り部を形成したことを特徴とする請求項１記載のシャントコネクタ。
【発明の詳細な説明】
【０００１】
【発明の属する技術分野】
本発明は、相手側コネクタの２つのコンタクト間等を短絡させるシャントコネクタに関する。
【０００２】
【従来の技術】
従来のシャントコネクタの要点について図６と図７を参照して説明する。
【０００３】
図６は、ソケットコンタクト４０がハウジング５０に組み込まれた状態のコネクタ２００の断面図である。ソケットコンタクト４０の先端には、２つの接触子（相手側コネクタにおける２つのピンコンタクトにそれぞれ接続する。）を連結する連結バー４１が形成されている。ハウジング５０のコンタクト穴５１の挿入口から離隔した箇所には、ラッチ５２が形成されている。
【０００４】
ソケットコンタクト４０をハウジング５０のコンタクト穴５１の挿入口側から挿入すると、通常、ソケットコンタクト４０の連結バー４１は、ラッチ５２の面取り部５２Ａに案内されるので、図６の状態に至り、組み込みは支障なく完了する。
【０００５】
しかし、図７に示されるように、連結バー４１がラッチ５２の面取り部５２Ａにひっかかると、ソケットコンタクト４０は、連結バー４１と根元部４２との間で湾曲し、座屈が起きる。したがって、ソケットコンタクト４０をハウジング５０に正常に組み込むことができない。なお、この工程は、組み込みの途中であるため、ソケットコンタクト４０とキャリア４３とは、一体に連結されている。
【０００６】
この種のコネクタは、実開昭５７−１９５７７５号公報、実開昭６１−１１６０９１号公報及び米国特許第４６０２８３４号明細書に記載されている。
【０００７】
【発明が解決しようとする課題】
前記従来のシャントコネクタでは、図７に示されるように、ソケットコンタクトをハウジングに組み込むとき、ソケットコンタクトが押圧される位置と、押圧されることによって生じる反力、即ち、ソケットコンタクトの連結バーがラッチを乗り越える際に起きる抵抗力が発生する位置との間に相当の距離がある。この２つの位置の間の距離が長い程、ソケットコンタクトに座屈が起き易くなり、ソケットコンタクトをハウジングに正常に組み込むことができない。殊に、生産性の向上ため、自動機を使用して高速度の組み込みを行うと、事故のリスクが増大する。
【０００８】
そこで、本発明は、前記従来のシャントコネクタの欠点を改良し、コンタクトをハウジングに組み込むときに、コンタクトに座屈が起きずに簡易に組み込むことができるシャントコネクタを提供しようとするものである。
【０００９】
【課題を解決するための手段】
本発明は、前記課題を解決するため、次の手段を採用する。
【００１０】
１．２つの接触子間を連結する連結部を有するコンタクトと、前記コンタクトを保持し、かつ、前記連結部を係止する係止部を有するハウジングとから構成され、前記連結部は、前記コンタクトの前記ハウジングへの挿入方向の後端側に平板状に形成され、前記係止部は、前記コンタクトを前記ハウジングへ挿入する際の挿入口に形成され、前記コンタクトの両側に各２箇所の被ガイド部を形成し、前記ハウジングに貫通形成されたコンタクト穴内における対向する両面に、前記コンタクトの前記各被ガイド部の挿入を案内するガイド溝を形成し、前記被ガイド部は前記挿入方向の先端側の第２被ガイド部と前記挿入方向の後端側の第１被ガイド部とから構成されるシャントコネクタ。
【００１２】
２．前記コンタクトを前記ハウジングへ挿入する際、前記連結部と前記係止部とが互いに当接する部分のそれぞれに面取り部を形成した前記１記載のシャントコネクタ。
【００１３】
【発明の実施の形態】
本発明の一実施の形態例のシャントコネクタについて図１〜図５を参照して説明する。
【００１４】
図１は、このコネクタと相手側コネクタの一対のピンコンタクトとの嵌合前の斜視図、及び、このコネクタのハウジングの裏面側から見た斜視図である。コネクタ１００は、ソケットコンタクト１０と、ソケットコンタクト１０を保持するハウジング２０との２部品から構成される。このソケットコンタクト１０に相手側コネクタの一対のピンコンタクト３０が嵌合する。
【００１５】
コネクタ１００の構造について図２と図３を参照して詳細に説明する。多数のソケットコンタクト１０とキャリア１４とは、１枚の金属板からプレスによって一体に製作される。ソケットコンタクト１０は、連結バー（連結部）１１と、連結バー１１の両端に突出形成された第１被ガイド部１２と、連結バー１１の両端付近に連結バー１１の長さ方向と直交する方向に形成された各接触子保持部１３Ａと、各接触子保持部１３Ａの根元付近に各接触子保持部１３Ａの長さ方向と直交する方向に折曲形成された各一対の接触子１３Ｂとから左右対称形状に一体に構成される。連結バー１１の中央には、面取り部１１Ａが形成され、また、連結バー１１の両端付近の各突出部には、キャリア１４の２箇所の各突出部が連続し、両各突出部が各折り取り箇所１５となる。各接触子保持部１３Ａの先端付近の外側に、各接触子保持部１３Ａの長さ方向と直交する方向に第２被ガイド部１３Ｃが突出形成されている。
【００１６】
ハウジング２０は、合成樹脂から略直方体の形状に製造され、中央には、コンタクト穴２１が貫通形成され、ソケットコンタクト１０の挿入口には、ラッチ（係止部）２２が突出形成され、また、ラッチ２２を挟んで対向する二面には、ガイド溝２３が形成されている。
【００１７】
図４には、１つのハウジング２０にキャリア１４と一体の１つのソケットコンタクト１０を組み込んだ状態が示されているが、実際には、自動機を使用して、多数のハウジング２０にキャリア１４と一体の多数のソケットコンタクト１０を同時にそれぞれ組み込む。
【００１８】
ソケットコンタクト１０をハウジング２０のコンタクト穴２１に組み込むと、ソケットコンタクト１０の両外側の第２被ガイド部１３Ｃと第１被ガイド部１２はハウジング２０の両ガイド溝２３に案内され、また、連結バー１１の面取り部１１Ａはラッチ２２の面取り部２２Ａに案内され、この過程で、連結レバー１１は弾性変形して、図４の状態に至る。この状態では、連結レバー１１がラッチ２２の係止面２２Ｂに係止されているため、ソケットコンタクト１０は、ハウジング２０から脱出することを阻止される。そして、キャリア１４を各折り取り箇所１５にてソケットコンタクト１０から折り取って破棄する。
【００１９】
キャリア１４をソケットコンタクト１０から折り取った後のコネクタは、図１（ａ）と図３（ｂ）に示される。この状態では、ソケットコンタクト１０の各一対の接触子１３Ｂは、ハウジング２０のコンタクト穴２１の中央に位置し、また、連結バー１１、各第１被ガイド部１２、各接触子保持部１３Ａ及び各第２被ガイド部１３Ｃは、各ガイド溝２３内に位置する。
【００２０】
続いて、図５（ａ）に示されるように、コネクタ１００を、相手側コネクタの一対のピンコンタクト３０に矢印方向に嵌合すると、図５（ｂ）の状態に至る。この状態では、相手側コネクタの一対のピンコンタクト３０は、各一対の接触子１３Ｂと連結バー１１を介して接続されている。
【００２１】
【発明の効果】
以上の説明から明らかなように、本発明によれば、次の効果を奏することができる。
【００２２】
１．コンタクトの連結部（連結バー）を、コンタクトのハウジングへの挿入方向の後端側に形成し、ハウジングの係止部（ラッチ）を、コンタクトをハウジングへ挿入する際の挿入口に形成したので、コンタクトをハウジングに組み込むとき、コンタクトに座屈等の欠陥が生じ難い。
【００２３】
２．ハウジングの係止部とコンタクトの連結部とに、それぞれ面取り部を形成したので、コンタクトをハウジングに簡易に組み込むことができる。
【００２４】
３．コンタクトとハウジングの構造が簡単であり、また、製造が容易である。
【図面の簡単な説明】
【図１】本発明の一実施の形態例のシャントコネクタの斜視図であり、（ａ）は表面側から見た同シャントコネクタと相手側コネクタの一対のピンコンタクト、（ｂ）は裏面側から見た同シャントコネクタを、それぞれ示す。
【図２】同シャントコネクタにおけるソケットコンタクトをハウジングに組み込む前の状態を示す斜視図である。
【図３】（ａ）は同シャントコネクタの正面図、（ｂ）は（ａ）における線Ａ−Ａによる断面図を、それぞれ示す。
【図４】同シャントコネクタにおけるソケットコンタクトをハウジングに組み込んだ後にキャリアをソケットコンタクトから折り取るときの状態を示す斜視図である。
【図５】同シャントコネクタと相手側コネクタのピンコンタクトとの嵌合の前後の状態を示す斜視図であり、（ａ）は嵌合前、（ｂ）は嵌合後を、それぞれ示す。
【図６】従来のシャントコネクタにおけるソケットコンタクトをハウジングに組み込んだ後の状態を示す断面図である。
【図７】従来のシャントコネクタにおけるソケットコンタクトをハウジングに組み込む途中の状態を示す断面図である。
【符号の説明】
１０    ソケットコンタクト
１１    連結バー（連結部）
１１Ａ    面取り部
１２    第１被ガイド部
１３Ａ    接触子保持部
１３Ｂ    接触子
１３Ｃ    第２被ガイド部
１４    キャリア
１５    折り取り箇所
２０    ハウジング
２１    コンタクト穴
２２    ラッチ（係止部）
２２Ａ    面取り部
２２Ｂ    係止面
２３    ガイド溝
３０    ピンコンタクト
１００    コネクタ（シャントコネクタ）
【図１】
0004059612.tif 000002
【図２】
0004059612.tif 000003
【図３】
0004059612.tif 000004
【図４】
0004059612.tif 000005
【図５】
0004059612.tif 000006
【図６】
0004059612.tif 000007
【図７】
0004059612.tif 000008